【手続補正書】
【提出日】平成20年4月15日(2008.4.15)
【手続補正１】
【補正対象書類名】明細書
【補正対象項目名】特許請求の範囲
【補正方法】変更
【補正の内容】
【特許請求の範囲】
【請求項１】  パン製品を焼くための接触型トースターであって、
パン製品を焼くようになった加熱要素と、
リンク型のベルト又はチェーンベルトの第１ベルトと、
該第１ベルトに連結され、前記第１ベルトを駆動するようになった第１回転スプロケットと、
パン製品を移動させるようになった第２ベルトとを有し、該第２ベルトが、
第１面及び第２面を備えた補強材を備え、該補強材が、ガラス繊維、ナイロン、ポリエステル、アラミド、ポリエチレン、ポリオレフィン、ポリイミド及びそのフィルムの少なくとも１つを備え、
前記補強材の第１面のシリコーンゴム、ウレタンゴム及びフルオロエラストマーの少なくとも１つと、
前記補強材の第２面のシリコーンゴム、ウレタンゴム及びフルオロエラストマーの少なくとも１つと、
前記補強材の前記第１面の第１の複数のリブと、
前記補強材の前記第２面の第２の複数のリブとを備え、
前記第１回転スプロケットが前記第１ベルトを駆動し、該第１ベルトが前記第２ベルトを駆動し、
前記第２ベルトは、その第２面が前記第１ベルトに面するように、前記第１ベルトに巻かれ、
前記第２ベルトの第１面が食品の第１面に接し、前記加熱要素が食品の第２面を焼き、
前記食品は、該食品が静止したパン焼き面に沿って摺動し、前記食品が摺動するときに焼けるように、移動され、
前記第２ベルトの前記第１の複数のリブのパターンが、前記第２ベルトの前記第２の複数のリブのパターンと異なる、
接触型トースター。
【請求項２】  前記第１の複数のリブが、前記第２ベルトの長手方向に対して横方向の波形リブを有する、請求項１記載の接触型トースター。
【請求項３】  前記第２の複数のリブが、前記第２ベルトの長手方向に対して横方向の真っ直ぐなリブを有する、請求項２記載の接触型トースター。
【請求項４】  前記第２ベルトが、パン食品に熱を留めて、パン食品を提供温度に暖めるのに役立つように、構成されている、請求項１記載の接触型トースター。
【請求項５】  物を接触型トースターの加熱域を移動させるための可撓性ベルトであって、
２つのフェースを備えた補強材と、
前記フェースの第１のフェースに被着された被膜と、前記フェースの第２のフェースに被着された被膜と、
前記補強材の第１のフェースに盛り上がった状態で設けられた多数のリブとを有し、該多数のリブが前記ベルトによって支持される物に横方向の力を与えるようになっており、
前記補強材の第２のフェースに盛り上がった状態で設けられた多数のリブとを有し、前記第１のフェースに盛り上がった状態で設けられた前記リブは、前記第１のフェースに０．０２０インチ〜０．０５０インチ（約０．５０８mm〜１．２７mm）盛り上がり、
前記可撓性ベルトが物を接触型トースターの加熱域を移動させるようになっている、
可撓性ベルト。
【請求項６】  前記２つのフェースが、第１のフェースと、これと反対側の第２のフェースとを有し、
前記第１のフェースに設けられた前記被膜がシリコーンゴムを有し、
前記第２のフェースに設けられた前記被膜がシリコーンゴムを有し、
前記第１のフェースに盛り上がった状態で設けられた前記リブがシリコーンゴムを有し、
前記第２のフェースに盛り上がった状態で設けられた前記リブがシリコーンゴムを有し、
前記補強材がガラス繊維を有し、
前記可撓性ベルトが、少なくとも３００°Ｆの温度に耐えるようになっている、
請求項５記載の可撓性ベルト。
【請求項７】  前記第１のフェースに盛り上がった状態で設けられたリブが、湾曲形状を有し、直線１フィート当たり少なくとも１つのリブを有し、
前記第２のフェースに盛り上がった状態で設けられたリブが、横向きであり、互いに平行であり、０．０２０インチ〜０．０５０インチ（約０．５０８mm〜１．２７mm）の高さを有する、
請求項５記載の可撓性ベルト。
【請求項８】  前記第１のフェースに設けられた前記被膜がシリコーンゴムを有し、
前記第２のフェースに設けられた前記被膜がシリコーンゴムを有し、
前記第１のフェースに盛り上がった状態で設けられた前記リブがシリコーンゴムを有し、
前記第２のフェースに盛り上がった状態で設けられた前記リブがシリコーンゴムを有し、
前記可撓性ベルトが、少なくとも３００°Ｆの温度に耐えるようになっている、
請求項７記載の可撓性ベルト。
【請求項９】  前記２つのフェースが、第１のフェースと、これと反対側の第２のフェースとを有し、
前記第１のフェースに盛り上がった状態で設けられた前記リブが不連続であり、
前記第２のフェースに盛り上がった状態で設けられた前記リブが、不連続であり、第２のベルトに接し、前記第２のフェースに盛り上がったリブと前記第２のベルトとの間の相互作用が前記可撓性ベルトを横方向に移動させる力を提供することになるように、構成されている、
請求項５記載の可撓性ベルト。
【請求項１０】  頂面に被着された被膜がシリコーンゴムを有し、
底面に被着された被膜がシリコーンゴムを有する、
請求項５記載の可撓性ベルト。
【請求項１１】  前記第１のフェースに盛り上がった状態で設けられたリブが湾曲形状を有する、請求項５記載の可撓性ベルト。
【請求項１２】  前記第２のフェースに盛り上がった状態で設けられたリブが、前記ボルトが移動されるようになった方向に対して横向きである、請求項１１記載の可撓性ベルト。
【請求項１３】  前記第２のフェースに盛り上がった状態で設けられたリブが互いに平行である、請求項１２記載の可撓性ベルト。
【請求項１４】  前記第２のフェースに盛り上がった状態で設けられたリブが、０．０２０インチ〜０．０５０インチ（約０．５０８mm〜１．２７mm）、前記第２のフェースに盛り上げられている、請求項１２記載の可撓性ベルト。
【請求項１５】  前記第１フェースに盛り上がった状態で設けられた複数のリブが、前記可撓性ベルトによって支持された物に横方向の力を与えるようになっており、
前記第２のフェースに盛り上がった状態で設けられた複数のリブが、第２のベルトに接し、前記第２のフェースに盛り上がったフライトと前記第２ベルトとの間の相互作用が前記可撓性ベルトを横方向に移動させる力を提供することになるように、構成されている、
請求項５記載の可撓性ベルト。
【請求項１６】  パン製品を焼くための接触型トースターであって、
パン製品の第１面を焼くようになったパン焼き面と、
前記パン製品の第２面に接し、前記パン製品を移動させるようになった第１ベルトとを有し、前記パン製品が前記パン焼き面に沿って摺動し、前記パン製品が摺動するときに焼け、前記第１ベルトが、
第１、第２のフェースを備えた補強材と、
該補強材の前記第１のフェースに被着及び又は積層され材料と、
前記補強材の前記第１フェースに盛り上がった状態で設けられた第１の複数のリブとを有し、該第１の複数のリブが、前記第１ベルトの長手方向に対して横方向であり、前記第１ベルトによって支持された物に横方向の力を与えるようになっており、
前記補強材の前記第２のフェースに盛り上がった状態で設けられた第２の複数のリブとを有し、該第２の複数のリブが、前記第１ベルトの長手方向に対して横方向である、複数の真っ直ぐなリブを含み、
前記第１の複数のリブのパターンが前記第２の複数のリブのパターンと異なり、
前記第１ベルトは、前記第２の複数のリブが接するように第２ベルトに巻くようになっている、
接触型トースター。
【請求項１７】  垂直方向に向けられている、請求項１６記載の接触型トースター。
【請求項１８】  ロールパンを焼くようになっている、請求項１６記載の接触型トースター。
【請求項１９】  前記ベルトの一方のフェースに盛り上がった状態で設けられたリブが、真っ直ぐで、互いに平行であり、前記ベルトの他方のフェースに盛り上がった状態で設けられたリブが、波形及び又は正弦波形である繰り返しパターンに構成されている、請求項１６記載の接触型トースター。
【請求項２０】  前記第１ベルトが、その少なくとも１つの幅の狭い端部に締めひもを、少なくとも１つの幅の狭い端部にフラップを有する、請求項１６記載の接触型トースター。
【請求項２１】  前記ベルトは、第１ベルトであり、前記補強材の前記第２のフェースに設けられた第２の複数のフライトリブを有し、
更に、第２ベルトを有し、該第２ベルトは、前記第１ベルトが第２ベルトを巻き、前記第１ベルトの第２のフェースが前記第２ベルトに面するように、配置されている、
請求項１６記載の接触型トースター。
【請求項２２】  前記第１の複数のリブが波形リブである、請求項１６記載の接触型トースター。
【請求項２３】  前記第１の複数のリブと前記第２の複数のリブの少なくとも一方が、約１．５インチ（３８．１mm）間隔を隔てた複数のリブを有する、請求項１６記載の接触型トースター。
【請求項２４】  前記第２の複数のリブのリブは前記第１の複数のリブのリブとは異なるように、間隔を隔てられている、請求項１６記載の接触型トースター。
【請求項２５】  前記第１ベルトを使用してロールパンを焼き面に押し付けることができる、請求項１６記載の接触型トースター。
【請求項２６】  第３ベルトを有し、該第３ベルトが、
第１、第２のフェースを備えた補強材と、
前記第３ベルトの補強材の前記第１のフェースに盛り上がった状態で設けられた複数のリブと、
前記第３ベルトの補強材の前記第２のフェースに盛り上がった状態で設けられた少なくとも１つのリブとを有し、
前記接触型トースターが、前記第１ベルトと接触している第１の食品と、第３ベルトと接触している第２の食品とを同時に焼くことができるようになっている、
請求項１６記載の接触型トースター。
【請求項２７】  パン製品を焼くための接触型トースターであって、
パン製品の第２面に接し、これを焼くようになった加熱要素を有する加熱域と、
パン製品を前記加熱域を移動させるようになった第１ベルトとを有し、該第１ベルトは、
第１、第２のフェースを備えた補強材と、
前記第１のフェースに被着された被膜と、
前記補強材の前記第１のフェースに盛り上がった状態で設けられた第１の複数のリブとを有し、該第１の複数のリブが、前記第１ベルトの長手方向に対して横方向であり、前記第１ベルトによって支持された物に横方向の力を与えるようになっており、
前記補強材の前記第２のフェースに盛り上がった状態で設けられた第２の複数のリブを有し、該第２の複数のリブが、前記第１ベルトの長手方向に対して横方向である、複数の真っ直ぐなリブを含み、
前記第１の複数のリブのパターンが前記第２の複数のリブのパターンと異なり、
前記第１ベルトは、前記第２の複数のリブが接するように第２ベルトに巻くようになっており、
前記第１ベルトが、前記加熱域の温度に耐えるようになっており、
前記第１ベルトがパン製品の第１面に接する、
接触型トースター。
【請求項２８】  パン製品を焼くための接触型トースターであって、
パン製品の第２面に接し、これを焼くようになった加熱要素を有する加熱域と、
パン製品を前記加熱域を移動させるようになった第１ベルトとを有し、該第１ベルトは、これがパン製品の第１面に接するように、なっており、
第１、第２のフェースを備えた補強材と、
該補強材の前記第１のフェースに被着及び又は積層され材料と、
前記補強材の前記第１のフェースに盛り上がった状態で設けられた第１の複数のリブとを有し、該第１の複数のリブが、前記第１ベルトの長手方向に対して横方向であり、前記第１ベルトによって支持された物に横方向の力を与えるようになっており、
前記補強材の前記第２のフェースに盛り上がった状態で設けられた第２の複数のリブを有し、該第２の複数のリブが、前記第１ベルトの長手方向に対して横方向である、複数の真っ直ぐなリブを含み、
前記第１の複数のリブのパターンが前記第２の複数のリブのパターンと異なり、
前記第１ベルトは、前記第２の複数のリブが接するように第２ベルトに巻くようになっている、
接触型トースター。
【請求項２９】  可撓性ベルトであって、
第１、第２のフェースを備えた補強材を有し、前記可撓性ベルトが、ガラス繊維、ナイロン、ポリエステル、アラミド、ポリエチレン、ポリオレフィン及びポリイミドの少なくとも１つを備え、
前記フェースの第１のフェースに配置された被膜を有し、該被膜が、シリコーンゴム、ウレタンゴム及びフルオロエラストマーの少なくとも１つを有し、
前記第１のフェースに、約０．０２０インチ〜０．０５０インチ（約０．５０８mm〜１．２７mm）の高さ、盛り上がった複数のフライトを有し、前記第１のフェースの盛り上がった複数のフライトが、前記可撓性ベルトによって支持された物に横方向の力を与えるようになっており、シリコーンゴム、ウレタンゴム及びフルオロエラストマーの少なくとも１つを含み、
前記第２のフェースに盛り上がった複数のフライトを有し、前記第２のフェースの盛り上がった複数のフライトは、シリコーンゴム、ウレタンゴム及びフルオロエラストマーの少なくとも１つを含み、且つ、第２のベルトに接し、前記第２のフェースに盛り上がったフライトと前記第２ベルトとの間の相互作用が前記可撓性ベルトを横方向に移動させる力を提供することになるように、構成され、
前記可撓性ベルトが、少なくとも３００°Ｆの温度に耐えるようになっている、
前記可撓性ベルトが物を接触型トースターの加熱域を移動させるようになっている、
可撓性ベルト。
【請求項３０】  前記第２のフェースに盛り上げられた状態で設けられた複数のフライトが、前記第２のフェースに、約０．０２０インチ〜０．０５０インチ（約０．５０８mm〜１．２７mm）の高さ、盛り上げられ、前記可撓性ベルトの直線１フィート当たり少なくとも１つのフライトを有する、請求項２９記載の可撓性ベルト。
【請求項３１】  物を接触型トースターの加熱域を移動させるための可撓性ベルトであって、
２つのフェースを備えた補強材と、
前記フェースの第１のフェースに被着された被膜と、前記フェースの第２のフェースに被着された被膜と、
前記補強材の第１のフェースに盛り上がった状態で設けられた多数のリブと、
前記補強材の第２のフェースに盛り上がった状態で設けられた多数のリブとを有し、
前記第１のフェースに盛り上がった状態で設けられた前記リブは、前記第１のフェースに少なくとも０．０２０インチ〜０．０５０インチ（約０．５０８mm〜１．２７mm）盛り上がり、前記ベルトによって支持される物に横方向の力を与えるようになっており、
前記可撓性ベルトが物を接触型トースターの加熱域を移動させるようになっている、
可撓性ベルト。
【請求項３２】  前記第１のフェースに盛り上がった状態で設けられたリブが、湾曲形状を有し、前記可撓性ベルトの直線１フィート当たり少なくとも１つのリブを有し、
前記第２のフェースに盛り上がった状態で設けられたリブが、真っ直ぐで、互いに平行であり、０．０２０インチ〜０．０５０インチ（約０．５０８mm〜１．２７mm）の高さを有する、
請求項３１記載の接触型トースター。
【請求項３３】  物を接触型トースターの加熱域を移動させるための可撓性ベルトであって、
第１、第２のフェースを備えた補強材と、
前記第１のフェースの実質的に全部に被着された被膜とを有し、該被膜がシリコーンゴムを有し、
前記第２のフェースの実質的に全部に被着された被膜とを有し、該被膜がシリコーンゴムを有し、
前記第１のフェースに、約０．０２０インチ〜０．０５０インチ（約０．５０８mm〜１．２７mm）の高さ、盛り上がった複数のフライトを有し、前記第１のフェースの盛り上がった複数のフライトが、湾曲形状を有し、シリコーンゴムを含み、
前記第２のフェースに、約０．０２０インチ〜０．０５０インチ（約０．５０８mm〜１．２７mm）の高さ、盛り上がった複数のフライトを有し、前記第２のフェースの盛り上がった複数のフライトが、真っ直ぐであり、シリコーンゴムを含み、
前記可撓性ベルトが物を接触型トースターの加熱域を移動させるようになっている、
可撓性ベルト。
【請求項３４】  前記第１のフェースに盛り上げられた状態で設けられた複数のフライトが、前記可撓性ベルトの直線１フィート当たり少なくとも１つのフライトを有し、
前記第２のフェースに盛り上がった状態で設けられた複数のフライトは、互いに平行であり、ベルトに接し、前記第２のフェースに盛り上がったフライトと前記ベルトとの間の相互作用が前記可撓性ベルトを横方向に移動させる力を提供することになるように、構成され、
前記可撓性ベルトが、少なくとも３００°Ｆの温度に耐えるようになっている、
請求項３３記載の可撓性ベルト。